(57)【要約】【課題】利便性を維持しつつ安定した通信パフォーマンスを確保し、安定した生産性を確保できるようにする。【解決手段】本発明の画像形成システム２は、第１画像形成装置２０及び第２画像形成装置を少なくとも有する直列タンデム装置１と、直列タンデム装置１に対して印刷情報を与えるプリントコントローラ２０と、直列タンデム装置１及びプリントコントローラ２０と外部装置８０とを中継する中継装置７０とを備える。この画像形成システム２において、プリントコントローラ２０と第１画像形成装置２０との間で第１通信経路Ｌ１にて通信を実施し、第１画像形成装置２０と第２画像形成装置４０との間で第２通信経路Ｌ２にて通信を実施し、第１画像形成装置２０、第２画像形成装置４０及びプリントコントローラ２０の各々と中継装置７０との間で第３通信経路Ｌ３にて通信を実施する。【選択図】図２
2018058256.tif 000002
【特許請求の範囲】
【請求項１】
第１画像形成装置及び前記第１画像形成装置に対して直列的に接続された第２画像形成装置を少なくとも有する直列タンデム装置と、
前記直列タンデム装置に対して印刷情報を与える印刷制御装置と、
前記直列タンデム装置及び前記印刷制御装置と外部装置とを中継する中継装置と、
前記印刷制御装置と前記第１画像形成装置との間で通信を実施する第１通信経路と、
前記第１画像形成装置と前記第２画像形成装置との間で通信を実施する第２通信経路と、
前記第１画像形成装置、前記第２画像形成装置及び前記印刷制御装置の各々と前記中継装置との間で通信を実施する第３通信経路と、
を備えることを特徴とする画像形成システム。
【請求項２】
前記印刷制御装置は、前記第１通信経路の通信速度情報と、前記第１通信経路で通信を実施する前記印刷情報のデータサイズとから前記第１通信経路での通信時間を求め、この求めた通信時間が画像形成に規定されている印刷速度を満たせない場合、前記印刷情報を分割し、前記印刷情報の一部について前記第３通信経路にて通信を実施する
ことを特徴とする請求項１に記載の画像形成システム。
【請求項３】
前記印刷制御装置は、前記第１通信経路の通信速度と前記第３通信経路の通信速度との比率に応じて、前記印刷情報を分割する割合を決定する
ことを特徴とする請求項２に記載の画像形成システム。
【請求項４】
前記第１画像形成装置は、前記第２通信経路の通信速度情報と、前記第２通信経路で通信を実施する前記印刷情報のデータサイズとから前記第２通信経路での通信時間を求め、この求めた通信時間が画像形成に規定されている印刷速度を満たせない場合、前記印刷情報を分割し、前記印刷情報の一部について前記第３通信経路にて通信を実施する
ことを特徴とする請求項１に記載の画像形成システム。
【請求項５】
前記第１画像形成装置は、前記２の通信経路の通信速度と前記第３通信経路の通信速度との比率に応じて、前記印刷情報を分割する割合を決定する
ことを特徴とする請求項４に記載の画像形成システム。
【請求項６】
前記第３通信経路にて通信する通信情報には優先度が与えられており、
前記第３通信経路に前記印刷情報と同一優先度の通信情報が存在する場合、前記印刷情報を分割する割合を半分に設定し、前記印刷情報の半分について前記第３通信経路にて通信を実施する
ことを特徴とする請求項２または５に記載の画像形成システム。
【請求項７】
前記第３通信経路にて通信する通信情報には優先度が与えられており、
前記第３通信経路に前記印刷情報よりも優先度の高い通信情報が存在する場合、前記第３通信経路に前記印刷情報を分割しない
ことを特徴とする請求項２または５に記載の画像形成システム。
【請求項８】
前記第３通信経路にて通信する通信情報には優先度が与えられており、
前記第３通信経路に前記印刷情報よりも優先度の低い通信情報が存在する場合、前記優先度の低い通信情報の通信を一旦停止し、前記第３通信経路に前記印刷情報を分割する
ことを特徴とする請求項２または５に記載の画像形成システム。
【請求項９】
第１画像形成装置及び前記第１画像形成装置に対して直列的に接続された第２画像形成装置を少なくとも有する直列タンデム装置と、
前記直列タンデム装置に対して印刷情報を与える印刷制御装置と、
前記直列タンデム装置及び前記印刷制御装置と外部装置とを中継する中継装置と、
を備える画像形成システムにおける通信方法であって、
前記印刷制御装置と前記第１画像形成装置との間で第１通信経路にて通信を実施し、
前記第１画像形成装置と前記第２画像形成装置との間で第２通信経路にて通信を実施し、
前記第１画像形成装置、前記第２画像形成装置及び前記印刷制御装置の各々と前記中継装置との間で第３通信経路にて通信を実施する
ことを特徴とする画像形成システムにおける通信方法。
【発明の詳細な説明】
【技術分野】
【０００１】
本発明は、画像形成システム及び画像形成システムにおける通信方法に関し、特に、複数の画像形成装置が直列的に接続されて構成されるタンデム方式の画像形成システム及び当該画像形成システムにおける通信方法に関する。
【背景技術】
【０００２】
用紙に画像を形成するプリンタや複写機等の画像形成装置が直列的に複数台接続されて構成されるタンデム方式の画像形成装置がある（例えば、特許文献１参照）。以下、タンデム方式の画像形成装置を「直列タンデム装置」と記述する場合がある。タンデム方式の画像形成装置では、例えば、用紙の表裏に画像形成を行う処理を、異なる画像形成装置で分担して行うことにより、１台の画像形成装置で用紙の表裏に画像形成を行う場合と比較して、高速印刷を実現できるために生産性を向上させることができる。
【先行技術文献】
【特許文献】
【０００３】
【特許文献１】特開２０１２−１０１４００号公報
【発明の概要】
【発明が解決しようとする課題】
【０００４】
特許文献１には、第１画像形成装置と第２画像形成装置とが直列的に接続されたタンデム方式の画像形成装置において、第１画像形成装置から第２画像形成装置に印刷情報を伝達する際には、ネットワーク通信を利用する技術が開示されている。また、タンデム方式の画像形成装置（直列タンデム装置）に対して印刷情報を与えるプリントコントローラと称される印刷制御装置や、クライアント端末等の外部装置との間に介在する中継装置を備えて構成される画像形成システムにおいて、印刷制御装置や中継装置から情報を伝達する際にも、ネットワーク通信が利用されることになる。
【０００５】
近年、印刷画像の高解像度化及びカラー化等による情報量の増加や、印刷速度の更なる高速化に伴い、画像形成装置間に求められる通信速度が高速化してきている。更には、遠隔操作／遠隔診断等のリモートサービスシステムによるネットワークトラフィック量が増大している。このような技術背景の環境下において、印刷制御装置から第１画像形成装置に印刷情報を伝達する際や、第１画像形成装置から第２画像形成装置に印刷情報を伝達する際に、安定した通信パフォーマンスを確保し、安定した生産性を確保することが求められている。
【０００６】
そこで、本発明は、利便性を維持しつつ安定した通信パフォーマンスを確保し、安定した生産性を確保することができるタンデム方式の画像形成システム及び当該画像形成システムにおける通信方法を提供することを目的とする。
【課題を解決するための手段】
【０００７】
上記目的を達成するために、本発明の画像形成システムは、
第１画像形成装置及び第１画像形成装置に対して直列的に接続された第２画像形成装置を少なくとも有する直列タンデム装置と、
直列タンデム装置に対して印刷情報を与える印刷制御装置と、
直列タンデム装置及び印刷制御装置と外部装置とを中継する中継装置と、
印刷制御装置と第１画像形成装置との間で通信を実施する第１通信経路と、
第１画像形成装置と第２画像形成装置との間で通信を実施する第２通信経路と、
第１画像形成装置、第２画像形成装置及び印刷制御装置の各々と中継装置との間で通信を実施する第３通信経路と、
を備えることを特徴とする。
【０００８】
また、本発明の通信方法は、
第１画像形成装置及び第１画像形成装置に対して直列的に接続された第２画像形成装置を少なくとも有する直列タンデム装置と、
直列タンデム装置に対して印刷情報を与える印刷制御装置と、
直列タンデム装置及び印刷制御装置と外部装置とを中継する中継装置と、
を備える画像形成システムにおいて、
印刷制御装置と第１画像形成装置との間で第１通信経路にて通信を実施し、
第１画像形成装置と第２画像形成装置との間で第２通信経路にて通信を実施し、
第１画像形成装置、第２画像形成装置及び印刷制御装置の各々と中継装置との間で第３通信経路にて通信を実施する
ことを特徴とする。
【０００９】
上記構成の画像形成システムあるいは通信方法において、印刷制御装置と第１画像形成装置との間では、ジョブ情報等の印刷情報の通信が行われる。第１画像形成装置と第２画像形成装置との間では、画像情報等の印刷情報の通信が行われる。第１画像形成装置、第２画像形成装置及び印刷制御装置と外部装置との間では、遠隔操作／遠隔診断等のリモートサービスや印刷要求等の情報の通信が行われる。すなわち、印刷情報の通信について専用の通信経路が設けられている。
【発明の効果】
【００１０】
本発明によれば、印刷情報の通信について専用の通信経路を設けることで、別の通信による干渉を防止することができるため、利便性を維持しつつ安定した通信パフォーマンスを確保し、安定した生産性を確保することができる。また、印刷情報の通信に影響を与えない形で、リモートサービス等を提供することが可能となる。
【図面の簡単な説明】
【００１１】
【図１】タンデム方式の画像形成装置の全体の構成を示す概略図である。
【図２】本発明の一実施形態に係る画像形成システムの全体の構成を示すブロック図である。
【図３】本発明の一実施形態に係る画像形成システムにおけるデータ通信の流れを示すフローチャート（その１）である。
【図４】本発明の一実施形態に係る画像形成システムにおけるデータ通信の流れを示すフローチャート（その２）である。
【発明を実施するための形態】
【００１２】
以下、本発明を実施するための形態（以下、「実施形態」と記述する）について図面を用いて詳細に説明する。本発明は実施形態に限定されるものではなく、実施形態における種々の数値などは例示である。なお、以下の説明や各図において、同一要素又は同一機能を有する要素には同一符号を用いることとし、重複する説明は省略する。
【００１３】
［タンデム方式の画像形成装置の全体構成］
まず、タンデム方式の画像形成装置の構成の概要について、図１を参照して説明する。図１は、タンデム方式の画像形成装置の全体の構成を示す概略図である。
【００１４】
本例に係るタンデム方式の画像形成装置である直列タンデム装置１は、複数のカラー画像形成装置、例えば２台の第１画像形成装置２０及び第２画像形成装置４０を有する。そして、本例に係る直列タンデム装置１は、用紙の搬送経路の上流側から、給紙装置１０、第１画像形成装置２０、中間装置３０、第２画像形成装置４０及び後処理装置５０等が直列的に連結された直列タンデム方式の構成となっている。
【００１５】
第１画像形成装置２０と第２画像形成装置４０とは、連結される際に、直列タンデム装置１を統括的に管理する親機（メイン機）、当該親機の指示に従って稼動する子機（サブ機）のいずれかであるかが設定される。本例では、用紙搬送方向において上流側に設けられた第１画像形成装置２０が親機として設定され、第２画像形成装置４０が子機として設定されていることとする。
【００１６】
本例に係る直列タンデム装置１では、用紙の表裏両面に画像を形成する両面モードのジョブを実行する場合、第１画像形成装置２０が用紙の一方の面（例えば、表面）に画像形成を行う装置として機能し、第２画像形成装置４０が用紙の他方の面（例えば、裏面）に画像形成を行う装置として機能する。具体的には、給紙装置１０又は第１画像形成装置２０内の給紙部から供給された用紙に対して、第１画像形成装置２０が表面の画像を形成する。そして、表面の画像が形成された用紙は、第１画像形成装置２０内の反転部によって表裏が反転された後、中間装置３０を通過して第２画像形成装置４０へ搬送され、当該用紙の裏面に画像が形成され、後処理装置５０へ搬送される。
【００１７】
用紙の片面に画像を形成する片面モードのジョブを実行する場合、給紙装置１０又は第１画像形成装置２０内の給紙部から供給された用紙の一方の面に対して、第１画像形成装置２０が画像を形成する。そして、一方の面に画像が形成された用紙は、中間装置３０、第２画像形成装置４０を通過して後処理装置５０へ搬送される。また、本例に係る直列タンデム装置１は、ラベル印刷など、同一の用紙の同一面に複数の印刷データ（ジョブ）のオブジェクトを合成して画像形成を行う場合にも対応可能である。
【００１８】
（給紙装置）
給紙装置１０は、ＰＦＵ（Paper Feed Unit）と称されるものであり、複数の給紙トレイや、給紙ローラ、分離ローラ、給紙／分離ゴム、送り出しローラ等からなる給紙手段等を備える。各給紙トレイには、用紙の種類（紙種、坪量、用紙サイズ等）毎に予め識別された用紙が格納されており、用紙の最上部から一枚ずつ給紙手段により第１画像形成装置２０の用紙搬送部へ給紙される。給紙トレイ毎に格納されている用紙の種類の情報（用紙サイズ、紙種等）は、第１画像形成装置２０が備える不揮発メモリに記憶されている。給紙装置１０は、第１画像形成装置２０の給紙部として機能する。
【００１９】
（第１画像形成装置）
第１画像形成装置２０は、原稿から画像を読み取り、その読み取った画像を用紙に画像形成する。また、第１画像形成装置２０は、外部装置等からＰＤＬ（Page Description Language）形式やＴｉｆｆ形式等のページ記述言語形式のプリントデータ及びプリント設定データを受信し、受信したプリントデータ及びプリント設定データ等に基づいて画像を用紙上に形成したりする。第１画像形成装置２０は、画像読取部２１、操作表示部２２、プリント部２３等を備えて構成されている。
【００２０】
画像読取部２１は、ＡＤＦ（Auto Document Feeder）と称される自動原稿送り部と読取部とを備え、操作表示部２２により受け付けられた設定情報に基づいて複数の原稿の画像を読み取る。自動原稿送り部の原稿トレイに載置された原稿は、読取個所であるコンタクトガラスに搬送され、イメージセンサを含む光学系により、原稿の片面又は両面の画像が読み取られる。ここでの画像には、図形や写真等の画像データの他、文字や記号等のテキストデータ等も含まれる。
【００２１】
操作表示部２２は、ＬＣＤ（Liquid Crystal Display）２２１、ＬＣＤ２２１を覆うように設けられたタッチパネル、各種スイッチやボタン、テンキー、操作キー群等から構成されている。操作表示部２２は、ユーザからの指示を受け付けて、その操作信号を制御部（図示せず）に出力する。また、当該制御部から入力される表示信号に従って、各種操作指示や設定情報を入力するための各種設定画面や各種処理結果等を表示する操作画面をＬＣＤ２２１上に表示する。
【００２２】
プリント部２３は、電子写真方式の画像形成処理を行うものであり、給紙部２３１、用紙搬送部２３２、画像形成部２３３、定着部２３４等の印刷出力に係る各機能部を備えている。
【００２３】
給紙部２３１は、複数の給紙トレイと給紙トレイ毎に設けられた給紙ローラ、分離ローラ、給紙／分離ゴム、送り出しローラ等からなる給紙手段を備えている。各給紙トレイには、用紙の種類（紙種、坪量、用紙サイズ等）毎に予め識別された給紙され得る用紙が格納されており、用紙の最上部から一枚ずつ給紙手段によって用紙搬送部に向けて給紙される。
【００２４】
用紙搬送部２３２は、給紙装置１０又は給紙部２３１から給紙された用紙を、複数の中間ローラ、レジストローラ等を経る、画像形成部２３３への用紙搬送路上に用紙を搬送する。そして、用紙搬送部２３２は、用紙を画像形成部２３３の転写位置へと搬送し、更に第２画像形成装置４０へ搬送する。用紙は、曲がり補正を行うレジストローラ２３３ａの上流側で一旦待機し、画像形成タイミングに応じて、レジストローラ２３３ａの下流側への搬送が再開される。
【００２５】
また、用紙搬送部２３２は、搬送路切替部２３２ａや反転ロー制御部ラ等から構成される反転部２３２ｂを備えている。反転部２３２ｂは、搬送路切替部２３２ａの切り替え動作に応じて、定着部２３４を通過した用紙の表裏を反転せずに下流側に連結された装置へ搬送したり、反転ローラ等によりスイッチバックして用紙の表裏を反転させた後に下流側に連結された装置へ搬送したりする。また、反転部２３２ｂは、定着部２３４を通過した用紙の表裏を反転させて第１画像形成装置２０の画像形成部２３３へ再給紙する循環経路部を備えていてもよい。
【００２６】
画像形成部２３３は、感光体ドラム、帯電装置、露光装置、現像装置、転写装置、クリーニング装置等を備え、印刷画像データに基づき、用紙面上にカラー画像を形成する。画像形成部２３３は、イエロー（Ｙ）、マゼンダ（Ｍ）、シアン（Ｃ）、ブラック（Ｋ）の各色のトナー像を形成するために、各色に対応した４つの画像形成ユニットを有する。図１には、図面の簡略化のため、１つの画像形成ユニットを図示している。
【００２７】
画像形成部２３３では、帯電装置により帯電された感光体ドラムの表面に、露光装置から印刷画像データに応じた光が照射されて静電潜像が書き込まれる。そして、感光体ドラムの表面に、二成分現像剤を用いる二成分現像装置により帯電したトナーが付着されることによって、感光体ドラムの表面に書き込まれた静電潜像が現像される。感光体ドラム上に付着したトナー画像は、転写位置で用紙に転写される。
【００２８】
定着部２３４は、定着ヒータ、定着ローラ、定着外部加熱部等から構成され、用紙に転写されたトナー画像を熱定着する。
【００２９】
（中間装置）
中間装置３０は、第１画像形成装置２０と第２画像形成装置４０との間に配置されている。すなわち、中間装置３０は、用紙搬送方向において、第１画像形成装置２０の下流側、かつ、第２画像形成装置４０の上流側に設置されている。中間装置３０は、第２画像形成装置４０からの指示に従って、第１画像形成装置２０から搬送された用紙を、第２画像形成装置４０へと搬送する。
【００３０】
中間装置３０の用紙搬送路３１は、中間装置３０又は第２画像形成装置４０が用紙搬送路３１内で用紙の停止を指示した場合に、第１画像形成装置２０にその用紙の後端がかからないようにその長さが設定されている。用紙搬送路３１は、中間装置３０の正面側から見ると、用紙搬入側の搬送ローラ３１１付近から用紙排出側の搬送ローラ３１２付近まで湾曲するように構成されている。
【００３１】
（第２画像形成装置）
第２画像形成装置４０は、プリント部４３等を備えて構成されており、第１画像形成装置２０と協働して用紙面上に画像を形成する。第１画像形成装置２０から搬送された用紙は、搬送ローラ４３４ａを経てレジストローラ４３３ａへ搬送される。用紙は、レジストローラ４３３ａの上流側で一旦待機し、画像形成タイミングに応じて、レジストローラ４３３ａの下流側への搬送が再開される。
【００３２】
なお、第２画像形成装置４０が備えるプリント部４３は、第１画像形成装置２０が備えるプリント部２３と同様に、給紙部４３１、反転部４３２ｂを備えた用紙搬送部、画像形成部、定着部等のプリント出力に係る各部を備えて構成されている。重複するので、その説明は省略する。
【００３３】
（後処理装置）
後処理装置５０は、用紙搬送方向において、第２画像形成装置の下流側に設置されており、ソート部、ステイプル部、パンチ部、折り部、製本部等の各種後処理部と、排紙トレイ（大容量排紙トレイＴ１やサブトレイＴ２）等を備えている。そして、後処理装置５０は、第２画像形成装置４０から搬送された用紙に対して各種の後処理を施し、後処理が施された用紙を大容量排紙トレイＴ１やサブトレイＴ２に排出する。大容量排紙トレイＴ１は、昇降移動するステージを有し、用紙をステージに積み重ねた状態で大量に収容する。サブトレイＴ２には、用紙が外部に露出され、目視可能な状態で排紙される。
【００３４】
［一実施形態に係る画像形成システムの全体構成］
本発明の一実施形態に係る画像形成システムの構成の概要について、図２を参照して説明する。図２は、本発明の一実施形態に係る画像形成システムの全体の構成を示すブロック図である。
【００３５】
本実施形態に係る画像形成システム２は、タンデム方式の画像形成装置である直列タンデム装置１を備えている。本実施形態に係る画像形成システム２において、直列タンデム装置１は、第１画像形成装置２０と、当該第１画像形成装置２０に対して直列的に接続（連結）された第２画像形成装置４０との２台の画像形成装置を有する構成となっている。ここでは、図面の簡略化のために、図１における給紙装置１０、中間装置３０及び後処理装置５０の図示を省略している。
【００３６】
本実施形態に係る画像形成システム２は、直列タンデム装置１に加えて、プリントコントローラ６０及び中継装置７０を備えたシステム構成となっている。プリントコントローラ６０は、印刷制御装置であり、直列タンデム装置１に対して印刷情報を与える。中継装置７０は、ルータやハブ等からなり、直列タンデム装置１及びプリントコントローラ６０と外部装置８０とを中継する。外部装置８０は、パーソナルコンピュータ等のクライアント端末であり、中継装置７０とインターネット９０を介して接続されている。
【００３７】
プリントコントローラ６０と第１画像形成装置２０との間は、第１通信経路Ｌ１によって接続されている。第１通信経路Ｌ１は、プリントコントローラ６０と第１画像形成装置２０との間で通信を実施する。具体的には、第１通信経路Ｌ１は、プリントコントローラ６０から第１画像形成装置２０に対してジョブ情報等の印刷情報を供給する一方向通信を実施する。
【００３８】
第１画像形成装置２０と第２画像形成装置４０との間は、第２通信経路Ｌ２によって接続されている。第２通信経路Ｌ２は、第１画像形成装置２０と第２画像形成装置４０との間で通信を実施する。具体的には、第２通信経路Ｌ２は、第１画像形成装置２０から第２画像形成装置４０に対して画像情報等の印刷情報を供給する一方向通信を実施する。
【００３９】
第１画像形成装置２０、第２画像形成装置４０及びプリントコントローラ６０の各々と中継装置７０との間は、第３通信経路Ｌ３によって接続されている。第３通信経路Ｌ３は、第１画像形成装置２０、第２画像形成装置４０及びプリントコントローラ６０の各々と中継装置７０との間で通信を実施する。
【００４０】
具体的には、第３通信経路Ｌ３は、中継装置７０から第１画像形成装置２０、第２画像形成装置４０及びプリントコントローラ６０に対して遠隔操作／遠隔診断等のリモートサービスや印刷要求等の情報を供給する。そして、第３通信経路Ｌ３は、中継装置７０と第１画像形成装置２０との間、中継装置７０と第２画像形成装置４０との間、及び、中継装置７０とプリントコントローラ６０との間で双方向通信が可能な構成となっている。
【００４１】
上記構成の本実施形態に係る画像形成システム２において、直列タンデム装置１にて印刷を実施する際のデータ通信の流れは次のようになる。
（処理１）外部装置８０からプリントコントローラ６０に対して、中継装置７０を経由して印刷要求を送信
（処理２）プリントコントローラ６０でのＲＩＰ（ラスター画像処理）によりビットマップ形式に変換された画像データやジョブ情報を第１画像形成装置２０に送信
（処理３）第２画像形成装置４０で印刷する画像データやジョブ情報を第１画像形成装置２０から第２画像形成装置４０に送信
【００４２】
上記のデータ通信の流れにおいて、処理２及び処理３については、データサイズが大きい画像データを送信しなければならないため、高い通信パフォーマンスが要求される処理となる。そこで、本実施形態では、処理２及び処理３の各々について、それぞれ別の通信インターフェース（ＮＩＣ）を設け（第１通信経路Ｌ１と第２通信経路Ｌ２）、他の通信との干渉を避けるようにしている。これにより、利便性を維持しつつ安定した通信パフォーマンス及び安定した生産性を確保することができる。
【００４３】
また、本実施形態では、印刷要求や遠隔操作／遠隔診断等のリモートサービス機能について、更に別の通信インターフェース（ＮＩＣ）を設けるようにしている（第３通信経路Ｌ３）。これにより、印刷情報の通信を妨げることなく、即ち印刷情報の通信に影響を与えない形で、リモートサービス等を提供することが可能となる。
【００４４】
＜印刷情報の分割について＞
上述した本実施形態に係る画像形成システム２の構成であっても、処理２及び処理３において所望の通信パフォーマンスが得られない場合が想定される。このような場合には、本実施形態に係る画像形成システム２では、印刷情報を分割し、印刷情報の一部について第３通信経路Ｌ３を併用して通信を実施するようにする。
【００４５】
この印刷情報の分割について、以下に、数値例を挙げて具体的に説明する。ただし、ここで例示する数値は一例であって、これらの数値に限定されるものではない。
例えば、以下の場合について考える。
・規定されている印刷速度          １００［ＰＰＭ］（１分間に１００ページ）
・１ページあたりの印刷情報サイズ  １００［ＭＢ］
・第１通信経路Ｌ１の転送速度      １０００［Ｍｂｐｓ］（１２５［ＭＢ／ｓ］）
・第３通信経路Ｌ３の転送速度      １０００［Ｍｂｐｓ］（１２５［ＭＢ／ｓ］）
【００４６】
上記条件の場合、印刷速度から1ページあたりに要求される通信時間は６０／１００＝０．６［秒］となるが、第１通信経路Ｌ１での通信に要する時間は、１００／１２５＝０．８［秒］となる。したがって、直列タンデム装置１の画像形成に規定されている印刷速度を満たせず、生産性が低下してしまうこととなる。
【００４７】
そこで、本実施形態に係る画像形成システム２においては、印刷情報を分割し、印刷情報の一部の通信に第３通信経路Ｌ３を併用するようにする。第３通信経路Ｌ３を併用した場合のデータ通信に要する時間は、第１通信経路Ｌ１及び第３通信経路Ｌ３の各々で５０／１２５＝０．４［秒］となるため、画像形成に規定されている印刷速度（＝０．６［秒］）を満たす。これより、所望の通信パフォーマンスを確保し、安定した生産性を確保することができる。
【００４８】
＜印刷情報の分割の割合について＞
上記具体例では、第１通信経路Ｌ１及び第３通信経路Ｌ３の各転送速度について同じ場合を例示したが、各転送速度が異なる場合には、印刷情報を分割することで逆に通信速度が遅くなってしまう可能性が考えられる。このことについて、以下に、数値例を挙げて具体的に説明する。
【００４９】
例えば、以下の場合について考える。
・１ページあたりの印刷情報サイズ  １００［ＭＢ］
・第１通信経路Ｌ１の転送速度      １０００［Ｍｂｐｓ］（１２５［ＭＢ／ｓ］）
・第３通信経路Ｌ３の転送速度      １００［Ｍｂｐｓ］（１２．５［ＭＢ／ｓ］）
【００５０】
上記条件にて、第３通信経路Ｌ３を併用した場合、第１通信経路Ｌ１及び第３通信経路Ｌ３に対して均等に印刷情報を分割すると、第３通信経路Ｌ３での通信に要する時間は、５０／１２．５＝４［秒］となり、印刷情報の分割に伴って生産性が大幅に低下することがわかる。因みに、第３通信経路Ｌ３を併用しない場合は、第１通信経路Ｌ１での通信に要する時間、即ち１００／１２５＝０．８［秒］となる。
【００５１】
そこで、本実施形態に係る画像形成システム２では、第１通信経路Ｌ１及び第３通信経路Ｌ３の各転送速度の比率に応じて、印刷情報を分割する割合を決定するようにする。上記条件の場合、第１通信経路Ｌ１及び第３通信経路Ｌ３の各転送速度の比率は１０：１のため、印刷情報を分割する割合も１０：１とする。これにより、第１通信経路Ｌ１及び第３通信経路Ｌ３それぞれの通信に要する時間は、９１／１２５及び９９／１２．５＝約０．７３［秒］となるため、印刷情報の分割に伴う生産性の低下を抑制することが可能となる。
【００５２】
＜第３通信経路の通信情報の優先度について＞
ところで、第３通信経路Ｌ３を併用する際に、第３通信経路Ｌ３が常に空いているとは限らないので、複数の通信が同時に実施されることが想定される。その場合、印刷情報を分割し、その一部の情報の通信に第３通信経路Ｌ３を併用しても、十分な生産性を得ることができないことになる。
【００５３】
そこで、本実施形態に係る画像形成システム２では、第３通信経路Ｌ３で通信を実施する通信情報に対して、通信情報の種類（内容）に応じてあらかじめ優先度を与えておくこととする。そして、その優先度に応じて第３通信経路Ｌ３での通信処理を制御するようにする。一例として、第３通信経路Ｌ３で通信を実施する通信情報に対して、優先度１、優先度２、優先度３（優先度１＞優先度２＞優先度３）の３段階の優先度を与える場合を想定する。このとき、第１通信経路Ｌ１で通信を実施する印刷情報には優先度２の優先度を与えるものとする。
【００５４】
一例として、第３通信経路Ｌ３を利用して、第１画像形成装置２０や第２画像形成装置４０の登録情報を確認するための通信の場合には、その通信情報には印刷情報の優先度２よりも低い優先度、即ち優先度３を与えることとする。また、印刷動作中に遠隔からの割り込み操作で印刷設定を変更するための通信の場合には、その通信情報には印刷情報の優先度２よりも高い優先度、即ち優先度１を与えることとする。そして、第３通信経路Ｌ３を併用する際に、第３通信経路Ｌ３で通信を実施する通信情報に与えられている優先度に応じて、第３通信経路Ｌ３での通信処理を制御するようにする。
【００５５】
・印刷情報の優先度＞第３通信経路Ｌ３の通信情報の優先度
第３通信経路Ｌ３を併用する際に、第３通信経路Ｌ３で通信を実施する通信情報の優先度が優先度３の場合、印刷情報の優先度２の方が高い、換言すれば、第３通信経路Ｌ３で通信を実施する通信情報の優先度が印刷情報の優先度よりも低い。この場合、第３通信経路Ｌ３での当該通信情報の通信を一旦停止し、第３通信経路Ｌ３に印刷情報を分割し、当該第３通信経路Ｌ３を印刷情報の一部の通信に併用する。
【００５６】
ここで、第１画像形成装置２０や第２画像形成装置４０の登録情報を確認するための通信は、一般的に、画像形成のための通信よりも重要度が低い。したがって、当該通信情報の第３通信経路Ｌ３での通信を一旦停止しても支障は少なく、第３通信経路Ｌ３での通信を一旦停止することで、印刷情報の通信に第３通信経路Ｌ３を最大限に活用することができる。
【００５７】
・印刷情報の優先度＝第３通信経路Ｌ３の通信情報の優先度
第３通信経路Ｌ３を併用する際に、第３通信経路Ｌ３で通信を実施する通信情報の優先度が優先度２の場合、第３通信経路Ｌ３で通信を実施する通信情報の優先度と印刷情報の優先度とが同一である。この場合、通信情報の通信と、分割した印刷情報の一部の通信とで第３通信経路Ｌ３を共用する。この際、印刷情報を第３通信経路Ｌ３に分割する割合を半分にする。
【００５８】
例えば、以下の場合について考える。
・１ページあたりの印刷情報サイズ  １００［ＭＢ］
・第１通信経路Ｌ１の転送速度      １０００［Ｍｂｐｓ］（１２５［ＭＢ／ｓ］）
・第３通信経路Ｌ３の転送速度      １０００［Ｍｂｐｓ］（１２５［ＭＢ／ｓ］）
【００５９】
上記条件の場合、第３通信経路Ｌ３が印刷情報の一部の通信に同時に利用されているため、実質の転送速度が半分の５００［Ｍｂｐｓ］（６２．５［ＭＢ／ｓ］）になることを想定する。この場合、転送速度の比率は２：１となるので、印刷情報を分割する割合も２：１とし、第１通信経路Ｌ１で６７［ＭＢ］、第３通信経路Ｌ３で３３［ＭＢ］の印刷情報の通信を実施する。これにより、印刷情報の通信に第３通信経路Ｌ３を適切に活用することが可能となる。
【００６０】
・印刷情報の優先度＜第３通信経路Ｌ３の通信情報の優先度
第３通信経路Ｌ３を併用する際に、第３通信経路Ｌ３で通信を実施する通信情報の優先度が優先度１の場合、印刷情報の優先度２の方が低い、換言すれば、第３通信経路Ｌ３で通信を実施する通信情報の優先度が印刷情報の優先度よりも高い。この場合、第３通信経路Ｌ３に印刷情報を分割しないようにする。
【００６１】
ここで、直列タンデム装置１での印刷動作中に、遠隔（外部装置８０）からの割り込み操作で印刷設定を変更するための通信は、一般的に、画像形成のための通信よりも重要度が高い。したがって、第３通信経路Ｌ３に印刷情報を分割しないように制御することで、割り込み操作を適切に実施することが可能となる。
【００６２】
［一実施形態に係る画像形成システムにおけるデータ通信の流れ］
次に、本発明の一実施形態に係る画像形成システム２におけるデータ通信の流れについて、図３及び図４を参照して説明する。図３は、画像形成システム２におけるデータ通信の流れを示すフローチャート（その１）であり、図４は、画像形成システム２におけるデータ通信の流れを示すフローチャート（その２）である。本データ通信については、例えばプリントコントローラ６０による制御の下に実行される。
【００６３】
プリントコントローラ６０は、先ず、直列タンデム装置１に与える印刷情報から、当該印刷情報のデータサイズ情報を取得し（ステップＳ１１）、次いで、あらかじめ定められている第１通信経路Ｌ１及び第２通信経路Ｌ２の通信速度情報を取得する（ステップＳ１２）。次に、プリントコントローラ６０は、印刷情報のデータサイズと、第１通信経路Ｌ１及び第２通信経路Ｌ２の通信速度とから通信時間を算出し（ステップＳ１３）、当該通信時間が直列タンデム装置１での画像形成に規定されている印刷速度（規定印刷速度）を満たしているか否かを判断する（ステップＳ１４）。
【００６４】
プリントコントローラ６０は、通信時間が規定印刷速度を満たしている場合は（Ｓ１４のＹＥＳ）、第１通信経路Ｌ１及び第２通信経路Ｌ２を用いて印刷情報を転送し（ステップＳ１５）、しかる後、一連のデータ通信の処理を終了する。プリントコントローラ６０は、通信時間が規定印刷速度を満たしていない場合は（Ｓ１４のＮＯ）、第３通信経路Ｌ３を別用途の通信に利用中であるか否かを判断する（ステップＳ１６）。
【００６５】
第３通信経路Ｌ３が別用途の通信に利用されていなければ（Ｓ１６のＮＯ）、プリントコントローラ６０は、第３通信経路Ｌ３の通信速度情報を取得し（ステップＳ１７）、次いで、第３通信経路Ｌ３の通信速度を第１通信経路Ｌ１及び第２通信経路Ｌ２の通信速度と比較する（ステップＳ１８）。そして、プリントコントローラ６０は、通信速度の比率に応じて印刷情報を分割し（ステップＳ１９）、次いで、第１通信経路Ｌ１、第２通信経路Ｌ２及び第３通信経路Ｌ３を用いて印刷情報を転送し（ステップＳ２０）、しかる後、一連のデータ通信の処理を終了する。
【００６６】
第３通信経路Ｌ３を別用途の通信に利用中であるか否かの判断処理において、利用中であれば（Ｓ１６のＹＥＳ）、プリントコントローラ６０は、別用途の通信（即ち、第３通信経路Ｌ３の通信情報の通信）の優先度を、印刷情報の通信の優先度と比較する（ステップＳ２１）。この優先度の比較処理において、印刷情報の通信の方が別用途の通信よりも優先度が高い場合は、別用途の通信を一旦停止し（ステップＳ２２）、しかる後、ステップＳ１７に移行する。その後、プリントコントローラ６０は、ステップＳ１７からステップＳ２０までの処理を実行する。
【００６７】
別用途の通信と印刷情報の通信との優先度の比較処理において、別用途の通信の優先度が印刷情報の通信の優先度と同一の場合は、プリントコントローラ６０は、別用途の通信と同時に印刷情報の通信を実施する。具体的には、プリントコントローラ６０は、第３通信経路Ｌ３の通信速度情報を取得し（ステップＳ２３）、次いで、第３通信経路Ｌ３の通信速度を半分として、第１通信経路Ｌ１及び第２通信経路Ｌ２の通信速度と比較し（ステップＳ２４）、しかる後、ステップＳ１９へ移行する。その後、プリントコントローラ６０は、ステップＳ１９からステップＳ２０までの処理を実行する。
【００６８】
別用途の通信と印刷情報の通信との優先度の比較処理において、印刷情報の通信の方が別用途の通信よりも優先度が低い場合は、プリントコントローラ６０は、第３通信経路Ｌ３を印刷情報の通信に利用せず（ステップＳ２５）、第１通信経路Ｌ１及び第２通信経路Ｌ２を用いて印刷情報を転送し（ステップＳ２６）、しかる後、一連のデータ通信の処理を終了する。
【００６９】
上述した一連のデータ通信の処理、即ち必要に応じて印刷情報を分割して第３通信経路Ｌ３を併用して通信を実施し、また、第３通信経路Ｌ３で通信を実施する通信情報の優先度に応じて、第３通信経路Ｌ３での通信処理を制御することで、安定した通信パフォーマンスを確保し、安定した生産性を確保することができる
【００７０】
以上では、上記の一連のデータ通信の処理について、プリントコントローラ６０による制御の下に実行する場合を例示したが、第１画像形成装置２０による制御の下に実行するようにしてもよく、同様の作用、効果を得ることができる。
【００７１】
［変形例］
以上、本発明について実施形態を用いて説明したが、本発明は上記実施形態に記載の範囲には限定されない。すなわち、本発明の要旨を逸脱しない範囲内で上記実施形態に多様な変更または改良を加えることができ、そのような変更または改良を加えた形態も本発明の技術的範囲に含まれる。
【００７２】
例えば、上記実施形態では、本発明の一実施形態に係る画像形成システム２として、第１画像形成装置２０及び第２画像形成装置４０の２台の画像形成装置が直列的に接続されて構成される直列タンデム装置１を用いる場合を例示したが、直列的に接続される画像形成装置の台数は２台に限られるものではない。
【符号の説明】
【００７３】
１…直列タンデム装置、  ２…画像形成システム、  １０…給紙装置、  ２０…第１画像形成装置、  ３０…中間装置、  ４０…第２画像形成装置、  ５０…後処理装置、  ６０…プリントコントローラ（印刷制御装置）、  ７０…中継装置、  ８０…外部装置、  ９０…インターネット、  Ｌ１…第１通信経路、  Ｌ２…第２通信経路、  Ｌ３…第３通信経路
【図１】
2018058256.tif 000003
【図２】
2018058256.tif 000004
【図３】
2018058256.tif 000005
【図４】
2018058256.tif 000006